(57)【特許請求の範囲】
【請求項１】
セパレータを間に挟んだ状態で絶縁された正極シートと負極シートが層状構造をなした電極群をケースに収容してなる二次電池であって、
平板部と、前記平板部と前記電極群とを接続する接続部とを有し、導電材よりなる集電部材を備え、
前記平板部の一方の面は前記ケースの内面との間に絶縁材からなるシートを介した状態又は前記ケースの内面に形成された絶縁材からなる絶縁層を介した状態で前記ケースと熱的に連結し、他方の面には前記接続部が電気的及び熱的に連結しており、
前記ケースは金属からなり、
前記ケースは、底部及び前記底部の周囲より立設される壁部を有する有底筒状をなして前記電極群を収容する本体部材を含み、
前記平板部における前記ケースの内面と合わさる面は、前記壁部の内面に合わさる状態で配置され、前記壁部の内面と合わさる面における前記本体部材の底部側には、前記本体部材の底部に向かって前記電極群側に傾斜するテーパ部が設けられていることを特徴とする二次電池。
【請求項２】
前記平板部における前記ケースの内面と合わさる面と、前記ケースの内面との間には、絶縁材からなるシートが介在されていることを特徴とする請求項１に記載の二次電池。
【請求項３】
請求項１または２に記載の二次電池を搭載したことを特徴とする車両。
【発明の詳細な説明】
【技術分野】
【０００１】
本発明は、二次電池、及び二次電池を搭載した車両に関する。
【背景技術】
【０００２】
従来から、二次電池としては、リチウムイオン二次電池やニッケル水素二次電池などが知られている。このような二次電池は、例えば絶縁性を有するセパレータを介在させた状態で電極シート（電極）を捲回して電極体（電極群）を形成し、この電極体をケースに収納した構成とされている。そして、二次電池では、電極体の電極シートと接合される集電部材を設けるとともに、この集電部材をケースから突出するように設けられる電極端子に対して電気的に接続している（例えば特許文献１）。
【先行技術文献】
【特許文献】
【０００３】
【特許文献１】特開２００３−２４９４２３号公報
【発明の概要】
【発明が解決しようとする課題】
【０００４】
ところで、二次電池では、環境温度や充放電に伴う電極体の発熱に起因して、その性能が低下する可能性がある。このため、従来から二次電池では、ケースの外側に熱交換媒体（熱媒体）を流すことで温度調節を行い、このような性能低下を抑制することが行われている。特許文献１の二次電池では、集電部材が電極端子に接続されていることから、集電部材を介して電極体とケースとの間で熱交換が行われ得る。しかしながら、二次電池の性能低下を抑制する観点からは、電極体とケースとの熱交換の効率をさらに高め、温度調節を速やかに行うことが期待されていた。
【０００５】
この発明は、上記従来技術に存在する問題点に着目してなされたものであり、その目的は、温度調節を好適に行うことができる二次電池、及び車両を提供することにある。
【課題を解決するための手段】
【０００６】
上記課題を解決するために、請求項１に記載の発明は、セパレータを間に挟んだ状態で絶縁された正極シートと負極シートが層状構造をなした電極群をケースに収容してなる二次電池であって、平板部と、前記平板部と前記電極群とを接続する接続部とを有し、導電材よりなる集電部材を備え、前記平板部の一方の面は前記ケースの内面との間に絶縁材からなるシートを介した状態又は前記ケースの内面に形成された絶縁材からなる絶縁層を介した状態で前記ケースと熱的に連結し、他方の面には前記接続部が電気的及び熱的に連結しており、前記ケースは金属からなり、前記ケースは、底部及び前記底部の周囲より立設される壁部を有する有底筒状をなして前記電極群を収容する本体部材を含み、前記平板部における前記ケースの内面と合わさる面は、前記壁部の内面に合わさる状態で配置され、前記壁部の内面と合わさる面における前記本体部材の底部側には、前記本体部材の底部に向かって前記電極群側に傾斜するテーパ部が設けられていることを要旨とする。ここで「熱的に連結」とは、相互に熱交換が行われ得る状態を指すものとし、直接、連結されているか否かを問わないものとする。
【０００７】
これによれば、平板部の一方の面はケースの内面との間に絶縁材からなるシートを介した状態又はケースの内面に形成された絶縁材からなる絶縁層を介した状態でケースと熱的に連結し、他方の面には接続部が電気的及び熱的に連結している。このため、接続部が連結された他方の面で集電部材（平板部）をケースと熱的に連結させる構成と比較して、より広い面積で集電部材をケースと熱的に連結させることが可能となる。これにより、電極群とケースとの熱交換の効率を高め、温度調節を速やかに行うことができる。したがって、温度調節を好適に行うことができる。また、平板部は本体部材の壁部の内面に合わさる状態で配置され、さらに壁部の内面と合わさる面における本体部材の底部側には、本体部材の底部に向かって電極群側に傾斜するテーパ部が設けられている。このため、接続部と電極群とを接続させた状態で、電極群を集電部材とともに本体部材に収納する際、テーパ部によってガイドされることで、電極群の挿入性を向上させることができる。
【０００８】
請求項２に記載の発明は、請求項１に記載の二次電池において、前記平板部における前記ケースの内面と合わさる面と、前記ケースの内面との間には、絶縁材からなるシートが介在されていることを要旨とする。これによれば、集電部材とケースとの絶縁性を確保しつつ、電極群とケースとの熱交換の効率を高めることができる。
【００１１】
請求項３に記載の発明は、車両において、請求項１または２に記載の二次電池を搭載したことを要旨とする。これによれば、二次電池として温度調節を好適に行うことができることから、環境温度や充放電に伴う電極体の発熱に起因する性能低下を抑制し、例えば二次電池の交換頻度が高くなったり、１回の満充電で利用可能な電力量が低下したりすることを抑制できる。
【発明の効果】
【００１２】
本発明によれば、温度調節を好適に行うことができる。
【図面の簡単な説明】
【００１３】
【図１】リチウムイオン二次電池を模式的に示す部分断面図。
【図２】（ａ）は、リチウムイオン二次電池を模式的に示す左側面図、（ｂ）は、（ａ）に示すＡ−Ａ線部分拡大断面図。
【図３】別の実施形態におけるリチウムイオン二次電池を模式的に示す部分拡大断面図。
【図４】（ａ）は、別の実施形態におけるリチウムイオン二次電池を模式的に示す断面図、（ｂ）は、同じく左側面図。
【発明を実施するための形態】
【００１４】
以下、本発明を具体化した一実施形態を図１及び図２にしたがって説明する。
図１に示すように、リチウムイオン二次電池（以下、単に「二次電池」と示す）１０は、全体として扁平な略立方体状をなすケース１１を備えている。ケース１１は、扁平な有底略四角筒状に形成された本体部材１２、及び本体部材１２の開口部を覆う（密閉する）ように、本体部材１２に組み付けられる略矩形平板状をなす蓋部材１３から形成されている。本体部材１２、及び蓋部材１３は、何れも金属（例えばステンレスやアルミニウムなど）から形成されている。以下、説明の便宜のため、図１で矢印Ｙ１に示すケース１１の長手方向を左右方向と示し、矢印Ｙ２に示すケース１１の高さ方向を上下方向と示す。また、図２（ａ）で矢印Ｙ３に示すケース１１の短手方向を前後方向と示す。
【００１５】
図１に示すように、蓋部材１３には、蓋部材１３の上面から略円柱状をなす正極端子１５及び負極端子１６が上方に向かって突出するように設けられている。また、蓋部材１３の下面（内面）には、導電材（導電体）としての金属（本実施形態ではアルミニウム）からなり、正極端子１５と電気的に接続された集電端子１７の基端（一端）が固定されている。また、蓋部材１３の下面（内面）には、導電材（導電体）としての金属（本実施形態では銅）からなり、負極端子１６と電気的に接続された集電端子１８の基端（一端）が固定されている。本実施形態では、集電端子１７，１８が集電部材となる。
【００１６】
また、ケース１１には、全体として左右方向（ケース１１の長手方向）に沿って延びる扁平な形状に形成された電極群としての電極体２３が、絶縁材（絶縁体）からなるシート（絶縁性フィルム）で形成された絶縁袋１１ａに包まれた状態で収納されている。なお、図１〜図４において、絶縁袋１１ａは、本体部材１２より僅かに薄い程度の厚さで図示されているが、実際には本体部材１２よりも遥かに薄くその厚さを無視（略無視）出来る程度に形成されている。
【００１７】
電極体２３は、セパレータ（隔膜）２７を間に介在させて、長尺の矩形シート状をなす正極シートとしての正電極シート２８、及び長尺の矩形シート状をなす負極シートとしての負電極シート２９を渦まき状に捲回することにより積層して形成されている。即ち、電極体２３では、セパレータ２７を間に挟んだ状態で絶縁された正電極シート２８と負電極シート２９が層状構造をなしている。正電極シート２８は、金属箔（本実施形態ではアルミニウム箔）に、正極活物質を塗布して形成されている一方で、負電極シート２９は、金属箔（本実施形態では銅箔）に負極活物質を塗布して形成されている。セパレータ２７は、絶縁性を有する樹脂材料（例えばポリエチレンなど）からなる長尺の多孔性シートとされている。なお、電極体２３では、最内周、及び最外周にセパレータ２７が配置されている。
【００１８】
また、正電極シート２８には、その左端から一定幅で正電極シート２８の長手方向に延びるように、正極活物質が塗布されていない非塗布領域２８ａが設定されているとともに、負電極シート２９には、その右端から一定幅で負電極シート２９の長手方向に延びるように、負極活物質が塗布されていない非塗布領域２９ａが設定されている。そして、本実施形態の電極シート２８，２９は、活物質が塗布された塗布領域Ｔを重ね合わせた状態で電極シート２８，２９が捲回されている。これにより、電極体２３の左端部には正電極シート２８の金属箔が積層された正電極リード２４が形成される一方で、右端部には負電極シート２９の金属箔が積層された負電極リード２５が形成されている。なお、正電極リード２４及び負電極リード２５において、金属箔の間には、セパレータ２７が介在されていない。そして、正電極リード２４は、前述した集電端子１７の先端（一端）と電気的に接続されている一方で、負電極リード２５は、前述した集電端子１８の先端（一端）と電気的に接続されている。また、ケース１１の内部には、液体状やゲル状の図示しない電解質が充填され、満たされている。
【００１９】
以下、本実施形態の二次電池１０において特徴的な集電端子１７，１８について詳細に説明する。
なお、本実施形態において、集電端子１７及び集電端子１８は、その形状が左右対称とされている。また、集電端子１７と正電極シート２８（正電極リード２４）との接合構造、及び集電端子１８と負電極シート２９（負電極リード２５）との接合構造は、左右対称とされている。したがって、以下の説明では、主に集電端子１７、及び集電端子１７と正電極シート２８との接合構造についてのみ詳しく説明し、集電端子１８、及び集電端子１８と負電極シート２９との接合構造については、同一符号を付すなどしてその説明を簡略化する。
【００２０】
集電端子１７は、左右方向に沿って延びる矩形平板状をなし正極端子１５と電気的に接続される連結部３０、及び左右方向における連結部３０の外側端（ここでは左端部）から下方へ垂下された略矩形平板状をなす平板部としての垂下部３１を備えている。図１及び図２に示すように、垂下部３１は、その電極体２３とは反対側に配置された外側面３１ａが、本体部材１２において底部１２ａの周囲に設けられた（立設された）壁部のうち左壁部１２ｂの内壁面に対向するように配置されている。即ち、垂下部３１の外側面３１ａは、ケース１１の内面にあわさる状態、より詳しくは本体部材１２における左壁部１２ｂの内面に合わさる状態で配置されている。
【００２１】
また、垂下部３１は、外側面３１ａの全面（略全面）が絶縁袋１１ａを介して左壁部１２ｂの内壁面に接触（密着）されるように、左壁部１２ｂに沿って延びるように配置されている。即ち、絶縁袋１１ａは、ケース１１の内壁面（内面）と垂下部３１の外側面３１ａとの間に挟持される。このため、集電端子１７において、垂下部３１の外側面３１ａは、絶縁袋１１ａに密着されているとともに、絶縁袋１１ａは、ケース１１の内壁面（内面）に密着されている。なお、外側面３１ａは、平坦（平滑）に形成されている。このように、垂下部３１の外側面３１ａと、ケース１１の内面との間には、絶縁袋１１ａが介在されている。
【００２２】
また、図２（ａ）に示すように、垂下部３１は、その前後方向に沿った大きさが左壁部１２ｂの内壁面における前後方向に沿った大きさより僅かに小さく、且つその上下方向に沿った大きさが左壁部１２ｂの内壁面における上下方向に沿った大きさの約３分の２程度の大きさに形成されている。また、垂下部３１は、その前後方向に沿った大きさが電極体２３（正電極リード２４）の前後方向に沿った大きさより大きく形成されているとともに、その上下方向に沿った大きさが電極体２３（正電極リード２４）の上下方向に沿った大きさの３分の２程度の大きさに形成されている。このため、垂下部３１は、左側面視において電極体２３（正電極リード２４）の半分以上を覆うように形成されている。そして、本実施形態の垂下部３１は、電極体２３とケース１１（本体部材１２）との間に介在（介挿）されている。
【００２３】
また、図１及び図２に示すように、垂下部３１の外側面３１ａにおいて本体部材１２の底部１２ａ側には、本体部材１２の底部１２ａに向かって電極体２３側に傾斜するテーパ部３２が設けられている。テーパ部３２は、その下端部（先端部）が垂下部３１に連設された連設部（基部）よりも左右方向の内側（ここでは右方）へ位置するように、正面視で直線状に傾斜するように形成されている。即ち、テーパ部３２は、本体部材１２の底部１２ａに向かって、左壁部１２ｂから離間するように傾斜している。なお、テーパ部３２の前後方向に沿った大きさは、垂下部３１の前後方向に沿った大きさと同一（略同一）に形成されている。
【００２４】
また、図２に示すように、垂下部３１において、電極体２３側に配置される内側面３１ｂには、この内側面３１ｂから左右方向における内側（ここでは右方）へ向かって延びる略矩形壁状をなす一対の接合部３５，３６が設けられている。本実施形態の接合部３５，３６は、同一形状（略同一形状）に形成されているとともに、相互に対向して対をなし、さらに相互に平行となるように配置されている。
【００２５】
各接合部３５，３６は、電極体２３の正電極リード２４の間に挿入するように配置されている。接合部３５，３６には、超音波接合や溶接などにより、正電極リード２４が接合され、これにより集電端子１７と正電極リード２４とが電気的に接続される。なお、集電端子１７と同様に、本実施形態の集電端子１８は、その垂下部３１の外側面３１ａが絶縁袋１１ａを介して（介在させて）右壁部１２ｃの内壁面（内面）に接するように配置されている。したがって、集電端子１７における垂下部３１の外側面３１ａから、集電端子１８における垂下部３１の外側面３１ａ迄の長さは、本体部材１２の左壁部１２ｂと右壁部１２ｃとの離間距離よりも僅かに小さい長さ（略同一長さ）に設定されている。このように、接合部３５，３６は、各集電端子１７，１８における垂下部３１と電極体２３とを接続する接続部となる。
【００２６】
次に、二次電池１０の製造方法について説明する。
図１に示すように、セパレータ２７を介在させて電極シート２８，２９を渦まき状に捲回して積層した後、さらに前後方向からプレス（圧縮）することにより扁平な形状に成形して電極体２３を得る。このとき、電極シート２８，２９は、活物質の塗布領域Ｔを重ね合わせるとともに、この塗布領域Ｔに対応させてセパレータ２７を介在させた状態で捲回する。これにより、電極体２３の左端部には、正電極リード２４が形成され、電極体２３の右端部には、負電極リード２５が形成される。また、電極体２３を得る工程とは別の工程において集電端子１７，１８を得る（用意する）。
【００２７】
そして、電極体２３の正電極リード２４は、超音波接合や溶接などにより接合部３５，３６に接合され、集電端子１７と電気的に接続される。同様に、電極体２３の負電極リード２５は、超音波接合や溶接などにより接合部３５，３６に接合され、集電端子１８と電気的に接続される。
【００２８】
その後、集電端子１７には正極端子１５が電気的に接続される一方で、集電端子１８には負極端子１６が接続される。次に、集電端子１７及び集電端子１８が接合された電極体２３を、絶縁袋１１ａに収納するとともに、上方から本体部材１２に挿入する。このとき、電極体２３は、テーパ部３２が絶縁袋１１ａを介して本体部材１２の開口縁部や、各壁部１２ｂ，１２ｃに接触することで左右方向の略中央に位置するようにガイドされる。したがって、本体部材１２に対する電極体２３の挿入性を向上させることができる。また、電極体２３の挿入時に、電極体２３が本体部材１２に接触することで破損してしまうことを抑制できる。
【００２９】
そして、本体部材１２には、正極端子１５及び負極端子１６を上面から突出させつつ蓋部材１３が組み付けられるとともに、最終的に電解質が充填されて二次電池１０が完成される。
【００３０】
次に、二次電池１０の作用について説明する。
まず、正極端子１５及び負極端子１６を介した充放電に伴う発熱により、電極体２３の温度が二次電池１０（ケース１１）の外部を流れる熱交換媒体（熱媒体）より高くなった場合について説明する。
【００３１】
この場合、図２（ｂ）に示すように、電極体２３で発生した熱は、電極シート２８，２９の主に金属箔を伝わって電極リード２４に伝達されるとともに、さらに正電極リード２４から集電端子１７の接合部３５，３６に伝達される（矢印Ｙａに示す）。そして、集電端子１７に伝達された熱は、垂下部３１の外側面３１ａから絶縁袋１１ａを介してケース１１（本体部材１２）に伝達される。そして、ケース１１に伝達された熱は、ケース１１の外側を流れる熱交換媒体（熱媒体）との間における熱交換により放熱される（矢印Ｙｂに示す）。なお、電極体２３で発生した熱は、同様に負電極リード２５及び集電端子１８からもケース１１（本体部材１２）に伝達され、放熱される。このようにして、本実施形態の二次電池１０では、内部に収納した電極体２３を速やかに冷却することができる。
【００３２】
次に、低温環境下などにおいて、電極体２３の温度が二次電池１０（ケース１１）の外部を流れる熱交換媒体（熱媒体）よりも低くなった場合について説明する。
この場合、熱交換媒体（熱媒体）からケース１１（本体部材１２）に伝達された熱は、絶縁袋１１ａを介して垂下部３１の外側面３１ａから集電端子１７に伝達される。そして、集電端子１７に伝達された熱は、接合部３５，３６から正電極リード２４に伝達されるとともに、電極シート２８，２９の主に金属箔を伝って電極体２３に伝達される。なお、熱交換媒体からケース１１（本体部材１２）に伝達された熱は、同様に負電極リード２５及び集電端子１８からも電極体２３に伝達される。このようにして、本実施形態の二次電池１０では、内部に収納した電極体２３を速やかに加温（加熱）することができる。
【００３３】
以上のように、本実施形態の二次電池１０において、集電端子１７，１８は、垂下部３１において接合部３５，３６が設けられた面とは反対側の外側面３１ａでケース１１（本体部材１２）と熱的に連結（結合）されている。より詳しくは、各集電端子１７，１８において、垂下部３１の一方の面（外側面３１ａ）はケース１１の内壁面（内面）との間に絶縁袋１１ａを介した状態でケース１１と熱的に連結し、他方の面（内側面３１ｂ）には接合部３５，３６が電気的及び熱的に連結している。
【００３４】
このため、接合部３５，３６を設けた面でケースと熱的に連結（結合）させる構成と比較して、垂下部３１とケース１１との接触面積を広くすることができる。即ち、より広い面積で集電端子１７，１８とケース１１とを熱的に連結させることが可能となる。これにより、電極体２３とケース１１との熱交換の効率をさらに高め、温度調節を速やかに行うことができる。
【００３５】
したがって、上記実施形態によれば、以下のような効果を得ることができる。
（１）垂下部３１の一方の面（外側面３１ａ）はケース１１の内面との間に絶縁材からなる絶縁袋１１ａを介した状態でケース１１と熱的に連結し、他方の面（内側面３１ｂ）には接合部３５，３６が電気的及び熱的に連結している。このため、接合部３５，３６が設けられた面（外側面３１ａ）で集電端子１７，１８とケース１１とを熱的に連結させる構成と比較して、より広い面積で集電端子１７，１８とケース１１とを熱的に連結させることが可能となる。これにより、電極体２３とケース１１との熱交換の効率を高め、温度調節を速やかに行うことができる。したがって、温度調節を好適に行うことができる。
【００３６】
（２）各集電端子１７，１８において、垂下部３１の外側面３１ａと、ケース１１の内面との間には、絶縁袋１１ａが介在されている。したがって、集電端子１７，１８とケース１１との絶縁性を確保しつつ、電極体２３とケース１１との熱交換の効率を高めることができる。
【００３７】
（３）集電端子１７の垂下部３１は本体部材１２の左壁部１２ｂに対向するように配置され、さらに垂下部３１の外側面３１ａにおいて本体部材１２の底部１２ａ側には、底部１２ａに向かって電極体２３側へ傾斜するテーパ部３２が設けられている。集電端子１８についても同様である。このため、接合部３５，３６と電極体２３とを接合（接続）させた状態で、電極体２３を集電端子１７，１８とともに本体部材１２に収納する際、テーパ部３２によって電極体２３がガイドされることで、電極体２３の挿入性を向上させることができる。
【００３８】
（４）垂下部３１は、電極体２３とケース１１との間に介在（介挿）されている。このため、各電極リード２４，２５の先端が絶縁袋１１ａに接触することがなく、集電端子１７，１８とケース１１（絶縁袋１１ａ）とが接触するまで、離間距離を小さくすることができる。より詳しく説明すると、図２（ｂ）に示すように、各電極リード２４，２５の先端には、接合部３５，３６に接合させる際に金属箔が寄り合わされることによって、金属箔のエッジ２４ａが形成される。例えば、前述した特許文献１のように、電極体２３（各電極リード２４，２５の先端）とケース１１との間に垂下部３１を介在させない構成では、エッジ２４ａが絶縁袋１１ａに接触しないように、集電端子１７，１８とケース１１（絶縁袋１１ａ）とを離間させる必要があった。このため、特許文献１では、二次電池１０内部にデッドスペースが生じ、二次電池の小型化の妨げとなっていた。これに対して、本実施形態の二次電池１０では、このような問題を好適に解決し、二次電池１０内部におけるデッドスペースを削減して二次電池１０を小型化し得る。
【００３９】
（５）特に、本実施形態において垂下部３１は、接合部３５，３６と各電極リード２４，２５との接合部分（エッジ２４ａ）、及びケース１１の間に介在（介挿）されている。したがって、エッジ２４ａと絶縁袋１１ａとの接触を好適に防止することができる。
【００４０】
（６）また、各垂下部３１の外側面３１ａにおいて、側面視で接合部３５，３６と対応する部分は、絶縁袋１１ａを介した状態でケース１１に熱的に連結されている。したがって、接合部３５，３６とケース１１との熱交換の効率をさらに高めることができる。
【００４１】
実施形態は前記に限定されるものではなく、例えば、次のように具体化してもよい。
・  図３に示すように、正電極リード２４を接合部３５，３６の間に挿入するように接合させてもよい。集電端子１８及び負電極リード２５についても同様に変更できる。
【００４２】
・  図４（ａ）及び図４（ｂ）に示すように、集電端子１７のテーパ部３２は、その下端部（先端部）が正電極リード２４の先端より内側に挿入されるように形成してもよい。集電端子１８についても同様に変更できる。このように構成することで、電極体２３を本体部材１２に挿入する際に、テーパ部３２の下端部が本体部材１２の開口縁部に引っ掛かることを抑制し、より挿入性を向上させることができる。なお、本別例においては、電極体２３とケース１１との間に垂下部３１が介挿されていない領域が多くなるが、接合部３５，３６が設けられた面で集電端子１７，１８とケース１１とを熱的に連結させる構成と比較して、集電端子１７，１８とケース１１との接触面積を広くできる。
【００４３】
・  ケース１１（本体部材１２及び蓋部材１３）の内面に絶縁材（絶縁性樹脂など）からなる絶縁層を形成してもよい。この場合には、絶縁袋１１ａを省略し、垂下部３１の外側面３１ａをケース１１（本体部材１２）の内面に当接させてもよい。
【００４４】
・  集電端子１７，１８には、１つ、あるいは３つ以上の接合部を設けてもよい。
・  集電端子１７，１８からテーパ部３２を省略してもよい。この場合、集電端子１７，１８は、垂下部３１の上下方向に沿った大きさが電極体２３の上下方向に沿った大きさより大きくなるように形成してもよい。即ち、集電端子１７，１８は、側面視において電極体２３が垂下部３１で覆われるように（含まれるように）形成してもよい。さらに、垂下部３１は、左壁部１２ｂや右壁部１２ｃの内壁面に対応した大きさに形成し、各内壁面の全面にわたって接触させるように形成してもよい。
【００４５】
・  垂下部３１、及びテーパ部３２は、側面視において楕円形や五角形をなす平板状に形成してもよい。また、テーパ部３２は、正面視で電極体２３側に湾曲する円弧状に形成してもよい。
【００４６】
・  導電体（金属）から形成されておれば、集電端子１７，１８の材料を適宜変更してもよい。
・  電極体２３は、セパレータ２７を介在させて、電極シート２８，２９を蛇腹状に折り曲げて積層してもよく、複数の正電極シート２８、及び複数の負電極シート２９を重ね合わせるように積層してもよい。
【００４７】
・  ケース１１は、全体として扁平な楕円形状に形成してもよい。この場合、本体部材１２は、有底の略楕円筒状に形成するとともに、集電端子１７，１８の垂下部３１は、本体部材１２の内壁面に沿って平面視で弧をなすように形成するとよい。また、ケース１１は、円柱状や直方体状など、扁平な形状でなくてもよい。
【００４８】
・  電極体２３は、電極シート２８，２９の幅方向が上下方向に沿うようにケース１１に収納されていてもよい。この場合、電極体２３の左上端部に正電極リード２４を形成し、電極体２３の右上端部に負電極リード２５を形成する。
【００４９】
・  二次電池１０はニッケル水素二次電池として具体化してもよい。
・  上記実施形態の二次電池１０を車両（例えば産業車両や乗用車両など）に搭載し、車両に装備された発電機により充電する一方で、二次電池１０から供給する電力によりエアコン用のコンプレッサや、車輪を駆動するための電動モータ、或いはカーナビゲーションシステムなどの電装品を駆動してもよい。これによれば、二次電池１０として温度調節を好適に行うことができることから、環境温度や充放電に伴う電極体２３の発熱に起因する性能低下を抑制し、例えば二次電池１０の交換頻度が高くなったり、１回の満充電で利用可能な電力量が低下したりすることを抑制できる。
【００５０】
以下、上記実施形態から把握できる技術的思想について追記する。
（イ）前記テーパ部は、前記本体部材の底部側が前記正極シート又は前記負極シートの間に挿入されていることを特徴とする請求項３に記載の二次電池。
【００５１】
（ロ）前記平板部は、前記電極体と前記ケースの間に介在されていることを特徴とする請求項１〜３、及び技術的思想イのいずれか１項に記載の二次電池。
【符号の説明】
【００５２】
１０…リチウムイオン二次電池（二次電池）、１１…ケース、１１ａ…絶縁袋（シート）、１２…本体部材、１２ａ…底部、１２ｂ…左壁部、１２ｃ…右壁部、１７，１８…集電端子（集電部材）、２３…電極体（電極群）、２７…セパレータ、２８…正電極シート（正極シート）、２９…負電極シート（負極シート）、３１…垂下部（平板部）、３１ａ…外側面、３１ｂ…内側面、３２…テーパ部、３５，３６…接合部（接続部）。
【図１】
0005831213.tif 000002
【図２】
0005831213.tif 000003
【図３】
0005831213.tif 000004
【図４】
0005831213.tif 000005